(57)【要約】【課題】正しい姿勢を保ちつつ容易に膝裏を伸ばすことが可能な膝裏伸ばしサンダルを提供する。【解決手段】足裏接触面１２の勾配を３度に設定したので、使用者の足裏が僅かに前上がりになり、使用者の膝裏が無意識（使用者が感じない程度）のうちに伸ばされる。その結果、使用者は、このような足裏接触面１２が形成された底部１１を有する膝裏伸ばしサンダルを履くだけで、理想的な姿勢をなすことができる。【選択図】図３
0003225904.tif 000002
【実用新案登録請求の範囲】
【請求項１】
使用者の足裏が接触する底部の足裏接触面が踵から爪先上りに傾斜するサンダルであって、
前記足裏接触面の勾配が３度であることを特徴とする膝裏伸ばしサンダル。
【請求項２】
前記足裏接触面に、使用者の足指の付け根に沿って延びる隆起部が設けられることを特徴とする請求項１に記載の膝裏伸ばしサンダル。
【請求項３】
前記足裏接触面に、足つぼを刺激する隆起部が設けられることを特徴とする請求項１または２に記載の膝裏伸ばしサンダル。
【考案の詳細な説明】
【技術分野】
【０００１】
本考案は、健康増進のための履物に属する。
【背景技術】
【０００２】
例えば、運動不足や加齢によって膝裏の筋肉が衰耗して膝が曲がると、腿の筋肉が縮み骨盤が後傾する。骨盤の後傾によって背中が曲がり肩が丸くなると、呼吸が浅くなり血流が悪化する。その結果、代謝や免疫力が低下し、自律神経にも悪影響を及ぼす。さらに、脳への血流が減少することから、認知機能が低下するおそれがある。そこで、本考案者は、使用者が自身の膝裏をストレッチすることが可能な健康器具（例えば「特許文献１」参照）を実用化している。
【０００３】
一方、特許文献２には、履くだけでアキレス腱、膝裏、ふくらはぎ等の裏筋が伸長されるサンダルが開示されている。当該サンダル（履物）は、伸長効果を高めるため、底部が爪先上りに形成されている。この類のサンダルは、底部の勾配が踵から爪先上りに１０度以上に設定されているため、立ち上がった状態で使用者の膝が前方へ出やすく、膝裏が曲がって姿勢全体が歪みやすくなる。また、底部の傾斜の度合いが大きいため、ストレッチを行う際の履物として不向きである。
【先行技術文献】
【特許文献】
【０００４】
【特許文献１】実用新案登録第３２２０１９８号公報
【特許文献２】実用新案登録第３００７１４３号公報
【考案の概要】
【考案が解決しようとする課題】
【０００５】
本考案の課題は、正しい姿勢を保ちつつ容易に膝裏を伸ばすことが可能な膝裏伸ばしサンダルを提供することにある。
【課題を解決するための手段】
【０００６】
前記課題を解決するため、本考案は、使用者の足裏が接触する底部の足裏接触面が踵から爪先上りに傾斜するサンダルであって、前記足裏接触面の勾配が３度であることを特徴とする。
【考案の効果】
【０００７】
本考案によれば、正しい姿勢を保ちつつ容易に膝裏を伸ばすことが可能な膝裏伸ばしサンダルを提供することができる。
【図面の簡単な説明】
【０００８】
【図１】本実施形態に係る膝裏伸ばしサンダルの平面図である。
【図２】本実施形態に係る膝裏伸ばしサンダルの底部の平面図である。
【図３】図２におけるＡ−Ａ断面図である。
【図４】壁押し動作の説明図である。
【図５】開脚動作の説明図である。
【図６】壁密着動作の説明図である。
【考案を実施するための形態】
【０００９】
本考案の一実施形態を添付した図を参照して説明する。
図１は、本実施形態に係る膝裏伸ばしサンダル１（右足用のみ表示）の平面図である。なお、右足用の膝裏伸ばしサンダル１は、左足用の膝裏伸ばしサンダルと左右対称である。よって、右足用の膝裏伸ばしサンダル１のみを図解し、左足用の膝裏伸ばしサンダルの図解を省略する。
【００１０】
図１に示されるように、膝裏伸ばしサンダル１は、使用者１０（図４参照）の甲を被う甲被部３と、使用者１０の足裏を支持する底部１１と、からなる。膝裏伸ばしサンダル１は、例えば発泡樹脂からなり、甲被部３と底部１１とが一体（同時）に成形される。甲被部３は、底部１１の外側から延びる外甲被部４と、底部１１の内側から延びる内甲被部５と、に分割して構成される。内甲被部５は、外甲被部４の上に重ねられた部分が二股に分かれており、各々がベルト６，７になっている。他方、外甲被部４には、ベルト６，７に対応するバックル８，９が設けられる。そして、ベルト６，７とバックル８，９とを操作して甲部３の前側および後ろ側の周長を調節することにより、膝裏伸ばしサンダル１を様々な甲幅および甲高の足に適合させることができる。
【００１１】
なお、本実施形態では、甲被部３と底部１１とを一体に成形したが、当該膝裏伸ばしサンダル１の製造方法は、これに限定されるものではなく、個別に作られた外甲被部４、内甲被部５、および底部１１を一体化させる工程を設けてもよい。
【００１２】
図２を参照すると、底部１１の足裏接触面１２には、使用者１０の足指の付け根に沿うように左右方向へ延びる隆起部１３が設けられる。また、足裏接触面１２には、隆起部１３から、使用者１０の足の第１趾（親指）と第２趾（人差し指）との間を爪先に向かって延びる隆起部１４が設けられる。また、足裏接触面１２には、使用者１０の足裏のツボ（例えば「湧泉」）を刺激する複数個（本実施形態では「２個」）の隆起部１５，１６が設けられる。さらに、足裏接触面１２の周縁には、使用者１０の足裏（足指の腹、踵）に沿うように傾斜させた傾斜部１７が設けられる。
【００１３】
図２、図３を参照すると、底部１１の足裏接触面１２の勾配、すなわち、足裏接触面１２の設計上（図３に示される基線Ｌ）の傾斜角度θは、踵から爪先上りに３度に設定されている。このように、膝裏伸ばしサンダル１は、足裏接触面１２の勾配を踵から爪先上りに３度に設定することにより、使用者１０の足裏が僅かに前上がりになる。これにより、使用者１０は、膝裏が無意識（使用者１０が感じない程度）のうちに伸ばされる。その結果、使用者１０は、当該膝裏伸ばしサンダル１を履くだけで、理想的な姿勢と歩き方とをなすことが可能である。
【００１４】
また、使用者１０は、膝裏伸ばしサンダル１を履いた状態で以下の動作を行うことにより、膝裏伸延効果（膝裏ストレッチ効果）を一層高めることができる。
（壁押し動作）
使用者１０は、背筋を伸ばして壁（図示省略）の前に立つ。次に、使用者１０は、脚を前後に開いて後脚の膝裏を伸ばすとともに前脚の膝を曲げ、両手を肩の高さで前方へ伸ばして壁につける。そして、図４に示されるように、両手で壁を押すとともに踵で床を踏みしめ、数秒間をかけて、肺の中の全ての空気を出し切るようにして息を吐く。次に、脚の前後を入れ替えて以上の動作を繰り返す。
【００１５】
（開脚動作）
使用者１０は、両脚を外側へ開いた上で立つ。このとき、両足の爪先を４５度に開く。次に、息を大きく吸い込んだ後、背筋を伸ばした状態で、息を吐きながらゆっくりと且つ真直ぐに腰を下げていく。ここで、腰をより深く下げることにより、骨盤を支える筋肉を鍛えることができる。これにより、下半身が強化され、膝裏伸延効果を向上させることができる。さらに、図５に示されるように、腰を下げた状態で腿を叩くことにより、アドレナリンが分泌されて脳が活性化し、認知症を予防することができる。
【００１６】
（壁密着動作）
使用者１０は、踵、腰、および背中の３点を垂直な壁（図示省略）につけて立つ。これにより、踵、腰、および背中の３点が一直線になり、当該膝裏伸ばしサンダル１の膝裏伸延効果も相俟って、膝裏をしっかりと伸ばすことができる。この状態で、掌を壁につけて息を吐くことにより、膝裏伸延効果をより高めることができる。さらに、図６に示されるように、掌を返して甲を壁につけ、この状態で息を吐いて一定時間（例えば「５秒間」）保持することにより、体幹筋を鍛えることができる。
【００１７】
本実施形態の作用効果を説明する。
従来、健康増進を目的に底部が爪先上りに傾斜したサンダルは、その足裏接触面の勾配が１０度以上に設定されていた。よって、爪先上りのサンダルは、立ち上がった状態で使用者１０の膝が前方へ出やすく、膝裏が曲がって姿勢全体が歪みやすかった。
【００１８】
そこで、本実施形態に係る膝裏伸ばしサンダル１は、足裏接触面１２の勾配が３度に設定されている。これにより、使用者１０の足裏が僅かに前上がりになり、使用者１０は、膝裏が無意識（使用者１０が感じない程度）のうちに伸ばされる。その結果、当該膝裏伸ばしサンダル１を履くだけで、使用者１０は、理想的な姿勢と歩き方とをなすことができる。
そして、膝裏が伸びて姿勢が整うことにより、血流が円滑になって代謝が高まり、免疫力を向上させることができ、また、自律神経を整えることができる。さらに、脳への血流が増えることから、認知機能の低下を抑制することができる。
また、本実施形態によれば、底部１１の足裏接触面１２に、使用者１０の足指の付け根に沿って延びる隆起部１３を設けたので、歩行時の足指の動作（蹴り出し）をサポートすることができる。
また、本実施形態によれば、底部１１の足裏接触面１２に、使用者１０の足の第１趾（親指）と第２趾（人差し指）との間を爪先に向かって延びる隆起部１４を設けたので、外反母趾を矯正することができる。
また、本実施形態によれば、底部１１の足裏接触面１２に、足つぼを刺激する隆起部１５，１６を設けたので、体（内臓）の様々な不調を改善することができる。
また、本実施形態によれば、当該膝裏伸ばしサンダル１を履いた状態で種々の動作を行うことにより、膝裏伸延効果（膝裏ストレッチ効果）を一層高めることができる。
【符号の説明】
【００１９】
１  膝裏伸ばしサンダル、１０  使用者、１１  底部、１２  足裏接触面、１３−１６  隆起部
【図１】
0003225904.tif 000003
【図２】
0003225904.tif 000004
【図３】
0003225904.tif 000005
【図４】
0003225904.tif 000006
【図５】
0003225904.tif 000007
【図６】
0003225904.tif 000008